(57)【要約】      （修正有）【課題】取扱い容易で、簡単に組立できるパンフレットなどの展示収容スタンドを提供する。【解決手段】プラスチックプレートを切抜き折曲げて、前上部を開放し紙葉を収容するポケットを多段に設け自立するように組立形成した展示収容スタンドであり、自立機能を発揮するように底部を上部よりも広がる角錐状に折曲げ形成する支持本体３と、支持本体３内に底部から上方背後側へ傾斜して挿入され前記支持本体内側に係止支持され多段に目的紙葉を受け入れ支持する紙葉支持体５とで構成されており、この紙葉支持体５は、背板部と左右側板部３４および底板部とで支持本体に係合固定される受け部材と、この受け部材の前側に所定の間隔をとって対向係止してポケット部を形成するように中間部と上端両側で受け部材に係合保持されるポケット形成部材とからなる。【選択図】図１
0003193668.tif 000002
【実用新案登録請求の範囲】
【請求項１】
プラスチックプレートを所定の形状寸法に切抜き折曲げて、前上部から上部を開放して内部に目的の紙葉を収容できるポケットを多段に設けて自立するように組立形成したパンフレットなどの展示収容スタンドであって、
自立機能を発揮できるように底辺部を上部よりも広がる角錐状に四辺を折曲げ形成する支持本体と、この支持本体内に底部から上方背後側へ傾斜して挿入され前記支持本体の上端部と左右両内側面に沿って係止支持され多段に目的紙葉を受け入れ支持するポケットを形成する紙葉支持体とで構成されており、
前記紙葉支持体は、背板部と左右側板部および底板部とで前記支持本体に係合固定される係止部を備える受け部材と、この受け部材の前側に所定の間隔をとって対向係止してポケット部を形成するように中間部と上端両側で前記受け部材に係合保持されるポケット形成部材とからなり、前記受け部材とポケット形成部材との中間部で結合する折曲げ係合部片がポケット内に収容する紙葉の支持段部を形成する
ことを特徴とするパンフレットなどの展示収容スタンド。
【請求項２】
前記紙葉支持体の受け部材とポケット形成部材とは、受け部材の中間位置には横長に扁平なバチ型にして両側下部に対称で切込みを設けた係止窓が設けられ、ポケット形成部材には前記係止窓に対応するようにして中間部に先端部両脇で掛合い部が形成され、かつ前記支持段部となる支持部片が基部での折り線に沿って内折りされるように切抜かれ、この支持部片を内折りして前記係止窓に挿入してその切込みと前記支持部片の掛合い部とを係合させることにより紙葉支持体を組立形成する請求項１に記載のパンフレットなどの展示収容スタンド。
【請求項３】
前記支持本体および紙葉支持体の組立係合部は、前記支持本体の上部と紙葉支持体の上部を結合する部分を除いて相対する一方には半月状の切抜き孔が設けられ、他方にはその切抜き孔に差込むことで係止できる舌片を設けられてなる係止機構が形成されており、すべての係止部の係合を解いて展開する扁平に折り畳める構成とされている請求項１又は２に記載のパンフレットなどの展示収容スタンド。
【考案の詳細な説明】
【技術分野】
【０００１】  本考案は、パンフレット・カタログなど単票、あるいは製本されたページ数の少ない印刷物（冊子）を多数立掛けて収容し、需要者が簡単に取り出せるように収容することができる、パンフレットなどの展示収容スタンドに関するものである。そして、この展示収容スタンドの組立が容易なように改良されてなるものである。
【背景技術】
【０００２】  従来、例えば物品を展示販売するに際し、その物品に関する名称や寸法・販売価格などの商品情報を掲載したパンフレットやカタログなどの印刷物を、展示している物品の近傍に需要者（購買者）が入手容易なように配置している。【０００３】  前述のような商品に関する印刷物を配置する手段の一つとして、印刷物（パンフレットやカタログ）を配置するのに、需要者が容易に取り出せるとともに、印刷物の表示を顕著にできるよう立掛けて収容する展示収容容器が、例えば特許文献１によって知られている。【０００４】  前記展示収容容器としては、プラスチックの板材から切り抜いてなる部片を複数枚折曲げて組合わせて自立する構造にして、その上部を開放し、かつ印刷物を受け入れるポケットを前面に設け、手前側からポケット内に収めたパンフレットなどの印刷物を取り出せるようにした構造のものである。【０００５】  前述の展示収容容器では、プラスチックシートから各部位を展開して一枚にくり抜かれたものを折曲げて組み立てることで自立した所定の形状に仕上げる構造のものであるから、容器の外郭を形成する部位と印刷物を受け入れる部位など主要部片（箱型になる支持体と背板部）が折り線を介して一連になって、中仕切り部片とはめ合わせて組み付けるようになっているので、部品点数が最少２片ですむという利点があるが、構造が複雑化することからシート材からの打ち抜き型に大きな寸法のものを必要とし、かつシートからの切り抜きでどうしてもロスの部分が多く発生するという点と、組み立て時に各部位同士を組み付けるための掛け止め個所が多くなって手数を要すること、並びに組立を確実にするのに、各部位を繋ぐ掛け止め構造部での係止爪片を確実に係合させる操作に手指を損傷するなどの問題点がある。
【先行技術文献】
【特許文献】
【０００６】
【特許文献１】  特開平０９−５０２３７号公報
【考案の開示】
【考案が解決しようとする課題】
【０００７】  本考案は、前述のような問題点を解消するためになされたもので、部品点数は前述のものよりも増えるが、組み立て時に支障のない必要最小限の外形寸法に収めることができ、組み立て操作を容易にして簡単で確実に組立完成することができる、取扱い容易にして十分な機能性を発揮できる構成としたパンフレットなどの展示収容スタンドを提供することを目的とするものである。
【課題を解決するための手段】
【０００８】  前記目的を達成するために、本考案によるパンフレットなどの展示収容スタンドは、
プラスチックプレートを所定の形状寸法に切抜き折曲げて、前上部から上部を開放して内部に目的の紙葉を収容できるポケットを多段に設けて自立するように組立形成したパンフレットなどの展示収容スタンドであって、
自立機能を発揮できるように底辺部を上部よりも広がる角錐状に四辺を折曲げ形成する支持本体と、この支持本体内に底部から上方背後側へ傾斜して挿入され前記支持本体の上端部と左右両内側面に沿って係止支持され多段に目的紙葉を受け入れ支持するポケットを形成する紙葉支持体とで構成されており、
前記紙葉支持体は、背板部と左右側板部および底板部とで前記支持本体に係合固定される係止部を備える受け部材と、この受け部材の前側に所定の間隔をとって対向係止してポケット部を形成するように中間部と上端両側で前記受け部材に係合保持されるポケット形成部材とからなり、前記受け部材とポケット形成部材との中間部での係合部分が背後側に収容する紙葉の支持段部を形成する
ことを特徴とするものである。【０００９】  また、前記紙葉支持体の受け部材とポケット形成部材とは、受け部材の中間位置には横長に扁平なバチ型にして両側下部に対称で切込みを設けた係止窓が設けられ、ポケット形成部材には前記係止窓に対応するようにして中間部に先端部両脇で掛合い部が形成され、かつ前記支持段部となる支持部片が基部での折り線に沿って内折りされるように切抜かれ、この支持部片を内折りして前記係止窓に挿入してその切込みと前記支持部片の掛合い部とを係合させることにより紙葉支持体を組立形成するものである。【００１０】  前記支持本体および紙葉支持体の組立係合部は、前記支持本体の上部と紙葉支持体の上部を結合する部分を除いて相対する一方には半月状の切抜き孔が設けられ、他方にはその切抜き孔に差込むことで係止できる係止爪を設けられてなる係止機構が形成されており、すべての係止部の係合を解いて展開する扁平に折り畳める構成とされている。
【考案の効果】
【００１１】  本考案によれば、所要寸法形状に裁断形成された３枚のシートからなる部材をそれぞれ折り線に沿って折曲げて係止爪と係止孔との嵌め合いによって組み合わせることにより、支持本体を基準にして自立でき、この支持本体の内側に所定の角度で傾斜させた紙葉支持体内のポケット形成部分でもって多段にパンフレットを収容できる。紙葉支持体内に収容されたパンフレットなどの紙葉は、上部が後方へ傾斜して保持されているので、前面から簡単に取り出すことができる。そして、この展示収容スタンドは、組立に際して予定の箇所に設けられた係止爪を対向する位置の係止孔にシート材の男性を利用して掛け止めるよう嵌め合わせると、簡単に係止できて緩むことなく組み合わせ機構によって全体的に剛性が生じて安定した立体物とすることができる。前記各部位の係止爪と係止孔との嵌め合わせについて、前述のように部材を形成しているプラスチックシートの弾性を利用して掛け合わせるので、手指に大きな負担なく、簡単に組み立てられる利点がある。また、組立前にはシート状になっているので、取扱上嵩張らず都合がよい。
【図面の簡単な説明】
【００１２】
【図１】図１は本考案に係るパンフレットなどの展示収容スタンド一実施形態を表わす全体斜視図である。
【図２】図２は支持本体の展開図である。
【図３】図３は紙葉支持体の分解図である。
【図４】図４は紙葉支持体の組立要部を表す斜視図である。
【図５】図５は展示収容スタンドの紙葉態様を表す図である。
【考案を実施するための最良の形態】
【００１３】  次に、本考案によるパンフレットなどの展示収容スタンドの具体的な実施の形態について、図面を参照しつつ説明する。【００１４】  この実施形態のパンフレットなどの展示収容スタンド（以下、単に展示収容スタンド１という）は、比較的厚手のプラスチックシート２（具体例では厚さ０．７ｍｍ）を使用して、全体が安定状態を維持して自立するように組立形成したものであり、全体の外郭を形成する支持本体３と、この支持本体３内に挿入して組み込まれパンフレットなどの紙葉Ｐ（以下単に「パンフレットＰ」という）を展示し取り出し容易な状態で収容保持できるようにする紙葉支持体５とで構成されている。【００１５】  前記支持本体３は、組み立てられた状態で左右は平行状態にして底部から上方へ次第に狭まるようにした角錐型の外形に形成されており、図２に例示するように所定の寸法でプラスチックシート２を切抜いて折り線ｂ〜ｅに沿って折曲げ、両側閉じ合わせ部分（重ね代３５ａ）を重ねて係止部分での係合により角錐型に組み合わせたものである。【００１６】  前記支持本体３は、図２に示すように展開された状態で、正面部位３１には両側に所定幅寸法の受け部３１ａを残して大きく切欠き部が形成され、この正面部位３１の下端部には折り線ｄを介して底部位３２が連接されている。なお、この底部位３２の中央部端には紙葉支持体５の底部と結合するための連結部片３３が突出して形成されている。【００１７】  さらに、前記正面部位３１の左右両側には、それぞれ折り線ｂを介して側面部位３４，３４が対称に連接されている。この側面部位３４，３４は下辺を上辺よりも幅広にしてバチ型に形成され、正面部位３１と反対側の折り線を介して背板部位３５，３５′と連接されている。そして、左右側面部位３４，３４には、前記正面部位３１側の折り線ｂに所定の距離を隔てて並行する仮想中心線ａ上に、上方と下方との所定位置で相対向する向きで半月状の切線によって一部を残して切り込んだ係止爪４（以下、同様形状の「係止爪」について同一の符号を付している）が一対設けてある。【００１８】  前記両側に連接されている背板部位３５，３５′は、その幅寸法が前記正面部位３１の幅寸法に対して１／２よりもほぼ２割程度長い寸法にされ、その長い部分が組立時における重ね代３５ａとなるようにして、かつ高さ寸法が前記正面部位３１の高さ寸法より高くなっている。そして、この背板部位３５，３５′の一方の下部位置には、前記側板部位３４に設けたものと同様の半月状切線による係止爪４が上下一対相対向して設けられ、他方の下部位置で、前記係止爪４の形成位置に対応する位置で前記係止爪４と係合させるための半月状の抜き孔４ａ（本考案の係止孔に相当する）（以下、同様形状の「抜き孔」について同一の符号を付している）設けられている。なお、前記係止爪４と抜き孔４ａとは、重ね代３５ａとなる部分に設けられる。また、前記背板部位３５，３５′の両重ね代３５ａにおける上部には折り線ｅを介して連結部片３６がそれぞれ連接されており、両連結部片３６における重ね代相当部には合致させると連結用となる角孔３７が設けられている。【００１９】  一方、前記紙葉支持体５は、図３に示されるように、パンフレットなど紙���を収容するためのポケットを構成する背板部６１と左右側板６２，６２および底板部片６３とで前記支持本体３に係合固定される係止部を備える受け部材６と、この受け部材６の前側に所定の間隔をとって対向してポケット部を形成するように中間部と上端両側で前記受け部材６に係合保持されるポケット形成部材７とで構成されている。なお、前記受け部材６の下端には折り線ｇによって底板部片６３が連接されている。この底板部片６３の中央部折り線寄りには、支持本体３の連結部片３３と連結する半月状の抜き孔４ａが設けてある。【００２０】  また、前記受け部材６の両側に折り線ｆを介して対称に連接する側板６２，６２は、下端を隅角から所定の角度で下方向に傾斜しており、組立時に紙葉支持体５が所定の角度で後方に傾斜支持されるようになっている。そして、この両側板６２，６２上端は下向き傾斜辺６２ａにされており、上部と下部の所定位置に前記支持本体３に設けられた係止爪４と係合して組み立てられるように半月状の抜き孔４ａが対称に設けてある。さらに、側板６２との折り線上で上部にポケット形成部材側に設けられた鉤片７５が係合する縦長の係止孔６４が左右対称に設けてある。また、受け部材６の中間下部位置には、ポケット形成部材７に設けられた係合部片の自由端部を受け入れて係合するための扁平な下向きバチ型をした抜き孔６６（本考案の「係止窓」に相当する）が設けてあり、この抜き孔６６の下辺両端にそれぞれ横向きの切欠き６７が設けてある（図４参照）。【００２１】  前記ポケット形成部材７は、幅寸法が前記受け部材６の幅寸法よりやや狭く、高さ寸法がよりも短い寸法にされており、下部寄り中間部の中央位置には、基部を折り線ｉにて連接するやや広幅で縦寸法がポケット部の形成奥行寸法にほぼ合致する扁平凸型状で、その凸部の両脇に係止切込み７２を備えた折曲げ係合部片７１が前記折り線ｉに沿って内向きに折曲げられるよう切線ｊによってフリーとなる状態に設けてある。また、下端部に折り線ｈを介して底部片７４が連接され、この底部片７４が組立時前記受け部材６の底部片３２上に沿うように設けてある。なお、この実施形態はＡ４判の紙葉が収容展示できる寸法形状にされたものである。【００２２】  このように形成された本実施形態の展示収容スタンド１は、例えばまず紙葉支持体５を組立てる。この際、受け部材６の両側板６２，６２は折り線ｆに沿って内側へ、底板部片６３は折り線ｇに沿って内側に、それぞれ折曲げる。次いでポケット形成部材７の両側板７３を折り線ｋに沿って内折りし、底板部片７４を外側に折曲げる。そして、ポケット形成部材７の下方中間部に設けられた折曲げ係合部片７１を基部の折り線に沿って側板７３と同方向に折曲げる。【００２３】  このようにした受け部材６とポケット形成部材７とは、内向きに相対向させて図４に示すように、前記ポケット形成部材７側の折曲げ係合部片７１の先端部を受け部材６側の下向きバチ型をした抜き孔６６内に差し込み、折曲げ係合部片７１に設けた両側の係止切込み７２を嵌め合わせて抜き孔６６の傾斜辺６６ａに沿って押し込むようにすることで、前記係止切込み７２が抜き孔６６下辺両側の切欠き６７内に係合して受け部材６とポケット形成部材７と��連結されて、紙葉支持体５として仮組できる。【００２４】  一方、支持本体３は折り線ｂに沿って両側面部位３４を内折りし、さらに折り線ｃに沿って両背板部位３５，３５′を内折りして組立の準備をする。【００２５】  次に、前述のように仮組した紙葉支持体５を支持本体３の内側に挿入し、その紙葉支持体５の両側面６２，６２にそれぞれ形成されている半月状の抜き孔４ａと支持本体３の側面部位３４に設けてある係止爪４とを掛け合わせて係合することにより支持本体３と紙葉支持体５とが組合わされる（図１参照）。なお、この操作に続いてポケット形成部材７の両側上端部に設けた鉤片７５を受け部材６側に設けてある係止孔６４に係合させる。また、支持本体３の底板部片３２を内側に折曲げて先端部に設けた係止爪４を紙葉支持体５の底板部に形成してある抜き孔４ａに掛け止めることにより支持本体３に対して一体的に固定される。【００２６】  こうした後に、支持本体３の左右背板部位３５，３５′の重ね代３５ａ部分を重ね合わせ、下部において係止爪４を対応する抜き孔４ａに掛け止めることにより、背板部位３５，３５′が閉じ合わせられる。次いで、背板部位３５，３５′の上端部に設けられている角型の抜き孔３７，３７を合わせた状態で、先に挿入されている紙葉支持体５の受け部材６上頂部に設けてある一対の係止爪４ｂ，４ｂを掛け合わせると、全体が一体状に組み立てられる。【００２７】  このように、本実施形態の展示収容スタンド１は、ごく簡単に組み立てることができ、しかも組み立てた状態では支持本体３の底部が上部に比べて広い面を形成できるようになる。そして、内部には、ポケット形成部材７と受け部材６とで組合わさったポケット収容部が適度に後方へ傾斜して内部にパンフレットＰなどを収容でき、ポケット形成部材７と受け部材６とを繋ぐ折曲げ係合部片がポケットの受け部となって、ポケット形成部材７の前側に形成されるポケットと、内側に形成されて前記折曲げ係合部片７１によって受け止められるポケットで二段にパンフレットＰなどを収容展示できる。【００２８】  そして、前述のように正面部は、大きく切り込んであるから、収容したパンフレットＰなどを外部から支障なく取り出すことができる。また、パンフレットＰなどを収容した状態で負荷の作用点が支持本体３のほぼ中央に位置するように収容部の傾斜角を設定することで、シートを屈曲形成した構造であるが安定したスタントとして活用することができるのである。【００２９】  本考案の趣旨に則すれば、各部位の組立に際して、半月状の抜き孔とこれに係合する係止爪によって結合する構造について説明したが、必要に応じてホック構造の結合手段を採用することもできる。また、この展示収容スタンドは、必要に応じて収容部の寸法を変更して作成することにより、パンフレット以外の冊子などを展示収容するのに使用できる。
【符号の説明】
【００３０】１      展示収容スタンド
２      プラスチックシート
３      支持本体
３１    正面部位
３４    側面部位
３５    背板部位
４，４ｂ      係止爪
４ａ    係止爪と係合して閉じ合わせる抜き孔
５      紙葉支持体
６      受け部材
６６    抜き孔
７      ポケット形成部材
７１    折曲げ係合部片
Ｐ      パンフレット
【図１】
0003193668.tif 000003
【図２】
0003193668.tif 000004
【図３】
0003193668.tif 000005
【図４】
0003193668.tif 000006
【図５】
0003193668.tif 000007